(57)【要約】      （修正有）【課題】トラバースシャーシの剛性を高めてピックアップユニットに伝わる振動を確実に抑制できるピックアップトラバース装置を得る。【解決手段】ピックアップトラバース装置１０は、トラバースシャーシ１１に固定され、光ディスクを保持して回転させるターンテーブル１６を有するモータ１７と、トラバースシャーシ１１の上に設けられ、光ディスクに記録された情報を光学的に読み取り、または／および記録するピックアップユニット１４と、ピックアップユニット１４を光ディスクの半径方向に移動させる送り機構１５とを備えている。トラバースシャーシ１１は、ピックアップユニット１４の移動方向に沿う第１の側部１２ａおよび第２の側部１２ｂを有し、第１の側部１２ａと第２の側部１２ｂとの間は、ピックアップユニット１４の移動領域の下方を通る連結部４３を介して連結されている。【選択図】図３
2008186529.tif 000002
【特許請求の範囲】
【請求項１】
金属製のトラバースシャーシと、
上記トラバースシャーシに固定され、円盤状の記録媒体を保持して回転させるターンテーブルを有するモータと、
上記トラバースシャーシの上に設けられ、上記記録媒体に記録された情報を光学的に読み取り、または／および上記記録媒体に情報を光学的に記録するピックアップユニットと、
上記ピックアップユニットを上記記録媒体の半径方向に移動させる送り機構と、を具備するピックアップトラバース装置であって、
上記トラバースシャーシは、上記ピックアップユニットの移動方向に沿う第１の側部および第２の側部を有し、上記ピックアップユニットは、上記第１の側部と上記第２の側部との間に位置するとともに、上記第１の側部と上記第２の側部との間は、上記ピックアップユニットの移動領域の下方を通る連結部を介して互いに連結されていることを特徴とするピックアップトラバース装置。
【請求項２】
請求項１の記載において、上記トラバースシャーシの連結部は、上記第１および第２の側部と一体構造物であることを特徴とするピックアップトラバース装置。
【請求項３】
請求項１又は請求項２の記載において、上記トラバースシャーシの連結部は、上記ピックアップユニットとの干渉を避けるように凹む凹部を有することを特徴とするピックアップトラバース装置。
【請求項４】
請求項１の記載において、上記トラバースシャーシは、上記ピックアップユニットの移動方向に沿う一端部に上記モータが貫通する開口部を有し、この開口部の一部は上記連結部に位置することを特徴とするピックアップトラバース装置。
【請求項５】
請求項４の記載において、上記トラバースシャーシの開口部の周囲に上記モータを上記トラバースシャーシに固定する複数の固定部が形成され、これら固定部は上記開口部の周方向に間隔を存して配置されているとともに、その少なくとも一つの固定部が上記連結部に位置することを特徴とするピックアップトラバース装置。
【請求項６】
請求項４の記載において、上記トラバースシャーシは、上記ピックアップユニットの移動方向に沿う他端部に上記ピックアップユニットに接続された配線部品を通す他の開口部を有し、この他の開口部の一部は上記連結部に位置することを特徴とするピックアップトラバース装置。
【請求項７】
請求項１の記載において、上記トラバースシャーシの第１および第２の側部は、夫々折り曲げられたリブを有することを特徴とするピックアップトラバース装置。
【請求項８】
請求項１の記載において、上記送り機構は、(1)上記ピックアップユニットの移動方向に沿って互いに平行となるように上記トラバースシャーシに固定され、上記ピックアップユニットを摺動可能に支持する一対のガイド軸と、(2)上記ガイド軸と平行となるように上記トラバースシャーシの第１の側部に固定され、モータによって回転されるリードスクリューと、(3)上記ピックアップユニットに固定され、上記リードスクリューに係合することで上記リードスクリューの軸方向に移動する係合部材と、を備えていることを特徴とするピックアップトラバース装置。
【請求項９】
第１の側部およびこの第１の側部の反対側に位置する第２の側部を有する金属製のトラバースシャーシと、
上記トラバースシャーシに固定され、円盤状の記録媒体を保持して回転させるターンテーブルを有するモータと、
上記トラバースシャーシの上に設けられ、上記トラバースシャーシの第１の側部と第２の側部との間で上記記録媒体に記録された情報を光学的に読み取るピックアップユニットと、
上記ピックアップユニットを上記記録媒体の半径方向に移動させる送り機構と、を具備し、
上記トラバースシャーシの第１および第２の側部が上記ピックアップユニットの移動方向に延びているピックアップトラバース装置であって、
上記トラバースシャーシは、
(1)上記モータが貫通する第１の開口部と、
(2)上記第１の開口部に対し上記ピックアップユニットの移動方向に離れた位置に設けられ、上記ピックアップユニットに接続された配線部品を通す第２の開口部と、
(3)上記第１の開口部と上記第２の開口部との間で上記第１の側部と上記第２の側部とを互いに連結するとともに、上記ピックアップユニットの移動領域の下方に位置する連結部と、を含んでいることを特徴とするピックアップトラバース装置。
【請求項１０】
光ディスクが出し入れされる筐体と、
上記筐体に収容されたピックアップトラバース装置と、を具備する光ディスク装置であって、
上記ピックアップトラバース装置は、
金属製のトラバースシャーシと、
上記トラバースシャーシに固定され、上記光ディスクを保持して回転させるターンテーブルを有するモータと、
上記トラバースシャーシの上に設けられ、上記光ディスクに記録された情報を光学的に読み取り、または／および上記光ディスクに情報を光学的に記録するピックアップユニットと、
上記ピックアップユニットを上記光ディスクの半径方向に移動させる送り機構と、を含み、
上記トラバースシャーシは、上記ピックアップユニットの移動方向に沿う第１の側部および第２の側部を有し、上記ピックアップユニットは、上記第１の側部と上記第２の側部との間に位置するとともに、上記第１の側部と上記第２の側部との間は、上記ピックアップユニットの移動領域の下方を通る連結部を介して互いに連結されていることを特徴とする光ディスク装置。
【発明の詳細な説明】
【技術分野】
【０００１】
本発明は、コンパクトディスク(ＣＤ)、デジタルバーサタイルディスク(ＤＶＤ)のような光ディスクから情報を読み取ったり、光ディスクに情報を記録するピックアップトラバース装置、およびピックアップトラバース装置を搭載した光ディスク装置に係り、特に光ディスクを回転させるモータやピックアップユニットを支持するトラバースシャーシの構造に関する。
【背景技術】
【０００２】
例えばＣＤやＤＶＤのような光ディスクに情報を記録したり、光ディスクに記録された情報を読み取る光ディスク装置は、光ディスクがトレイを介して出し入れされる筐体と、この筐体の内部に収容されたピックアップトラバース装置と、を備えている。
【０００３】
ピックアップトラバース装置は、例えば特許文献１に開示されているように、光ディスクを保持して回転させるターンテーブルを有するスピンドルモータと、光ディスクに対して情報を読み書きするピックアップユニットと、ピックアップユニットを光ディスクの半径方向に移動させる送り機構と、これら各構成要素を一括して支持するトラバースシャーシとを有している。
【０００４】
トラバースシャーシは、スピンドルモータのような構成要素を強固に保持する必要があるため、鋼板のような金属材料で構成されている。ピックアップユニットを移動させる送り機構は、ピックアップユニットの移動方向に沿って互いに平行に配置された一対のガイド軸と、一方のガイド軸と隣り合う送りねじと、送りねじを回転させるトラバースモータと、ピックアップユニットに固定されて上記送りねじに係合する係合部材と、を備えている。ガイド軸、送りねじおよびトラバースモータは、夫々トラバースシャーシに支持されている。
【０００５】
ピックアップユニットは、ガイド軸の間に介在されているとともに、これらガイド軸に摺動可能に支持されている。そのため、送りねじが回転すると、ピックアップユニットがガイド軸に沿って光ディスクの半径方向に直線的に移動するようになっている。
【０００６】
ところで、従来のピックアップトラバース装置では、トラバースシャーシにピックアップユニットとの干渉を避ける開口部が形成されている。開口部は、ピックアップユニットの移動領域の全てに亘るような大きさを有し、この開口部の存在により、トラバースシャーシは、ピックアップユニットや送り機構を取り囲むような四角い枠状に形成されている。
【０００７】
このため、トラバースシャーシは、ピックアップユニットを間に挟んだ両側に、このピックアップユニットの移動方向に延びる一対の側部を有しており、これら側部は、開口部の大きさに比べて幅狭いものとなっている。そして、従来のピックアップトラバース装置では、トラバースシャーシの幅狭い側部に送りねじやトラバースモータが支持されている。
【特許文献１】特開２００３−１２３４５７号公報
【発明の開示】
【発明が解決しようとする課題】
【０００８】
従来のトラバースシャーシによると、ピックアップユニットを避ける開口部を設けたことで、トラバースシャーシの側部が幅狭い形状となっているので、この側部の剛性を十分に確保することが困難となる。すると、トラバースシャーシに支持されたスピンドルモータは、光ディスクを回転させる時に振動を伴うので、剛性の低い側部がスピンドルモータの振動を受けた時に、スピンドルモータと一緒に振動するといった問題がある。
【０００９】
しかも、光ディスクは、例えば製造誤差や光ディスクに貼り付けたラベル等の影響を受けて、光ディスクの重心位置がスピンドルモータの回転中心から偏心していることがある。このような重心が偏った光ディスクは、回転時の重量バランスが悪いために、光ディスクをスピンドルモータで高速回転させると、光ディスクが大きく振動するのを避けられない。
【００１０】
したがって、特に重心が偏った光ディスクを高倍速で回転させた場合に、光ディスクの振動がトラバースシャーシに伝わるとともに、剛性の低いトラバースシャーシの側部が振動するといった問題が生じてくる。
【００１１】
この結果、トラバースシャーシの側部に支持された送りねじ、あるいはガイド軸に振動が伝わり、この送りねじに係合するピックアップユニットが共振を起こして、光ディスクに対する情報の読み取り性能が悪化するといった不具合が発生する。
【００１２】
本発明の目的は、トラバースシャーシの剛性を高めてピックアップユニットに伝わる振動を確実に抑制できるピックアップトラバース装置を得ることにある。
【００１３】
本発明の他の目的は、耐振性能に優れたピックアップトラバース装置を搭載し、光ディスクに対する情報の読み書きを安定して行える光ディスク装置を得ることにある。
【課題を解決するための手段】
【００１４】
上記目的を達成するため、本発明の一つの形態に係るピックアップトラバース装置は、  
金属製のトラバースシャーシと、上記トラバースシャーシに固定され、円盤状の記録媒体を保持して回転させるターンテーブルを有するモータと、上記トラバースシャーシの上に設けられ、上記記録媒体に記録された情報を光学的に読み取り、または／および上記記録媒体に情報を光学的に記録するピックアップユニットと、上記ピックアップユニットを上記記録媒体の半径方向に移動させる送り機構と、を備えている。  
上記トラバースシャーシは、上記ピックアップユニットの移動方向に沿う第１の側部および第２の側部を有し、上記ピックアップユニットは、上記第１の側部と上記第２の側部との間に位置するとともに、上記トラバースシャーシの第１の側部と第２の側部との間は、上記ピックアップユニットの移動領域の下方を通る連結部を介して互いに連結されていることを特徴としている。
【００１５】
上記目的を達成するため、本発明の一つの形態に係る光ディスク装置は、  
光ディスクが出し入れされる筐体と、上記筐体に収容されたピックアップトラバース装置と、を備えている。  
上記ピックアップトラバース装置は、
金属製のトラバースシャーシと、上記トラバースシャーシに固定され、上記光ディスクを保持して回転させるターンテーブルを有するモータと、上記トラバースシャーシの上に設けられ、上記光ディスクに記録された情報を光学的に読み取り、または／および上記光ディスクに情報を光学的に記録するピックアップユニットと、上記ピックアップユニットを上記光ディスクの半径方向に移動させる送り機構と、を含んでいる。  
上記トラバースシャーシは、上記ピックアップユニットの移動方向に沿う第１の側部および第２の側部を有し、上記ピックアップユニットは、上記第１の側部と上記第２の側部との間に位置するとともに、上記トラバースシャーシの第１の側部と第２の側部との間は、上記ピックアップユニットの移動領域の下方を通る連結部を介して互いに連結されていることを特徴としている。
【発明の効果】
【００１６】
本発明によれば、連結部の存在によりトラバースシャーシの第１および第２の側部の剛性が著しく向上し、トラバースシャーシ自体が機械的に強固となって振動し難くなる。このため、光ディスクのような記録媒体およびモータからの振動がピックアップユニットに伝わるのを抑制することができ、光ディスクに対する情報の読み書きを安定して行うことができる。
【発明を実施するための最良の形態】
【００１７】
以下本発明の第１の実施の形態を、図１ないし図１０に基づいて説明する。
【００１８】
図１および図２は、例えばデスクトップ形コンピュータのような電子機器に用いるハーフハイトタイプの光ディスク装置１を開示している。光ディスク装置１は、偏平な箱状の筐体２を備えている。筐体２の前面はベゼル３によって覆われており、このベゼル３にトレイ４を出し入れするスロット５が形成されている。
【００１９】
トレイ４は、光ディスク６を受けるディスク装着部４ａを有している。光ディスク６は、円盤状をなす記録媒体の一例であって、その回転中心部に嵌合孔７を有している。トレイ４は、ローディング位置とアンローディング位置との間で移動可能に筐体２に支持されている。
【００２０】
図２は、トレイ４がローディング位置に移動された状態を示している。ローディング位置では、トレイ４が筐体２の内部に収容されており、このトレイ４の前端に位置するトレイパネル４ｂがスロット５を塞いでいる。アンローディング位置では、トレイ４はスロット５を通じて筐体２の外に引き出されており、トレイ４のディスク装着部４ａに光ディスク６を載置したり、ディスク装着部４ａから光ディスク６を取り出せるようになっている。
【００２１】
図２に示すように、筐体２の内部にプリント回路板９およびピックアップトラバース装置１０が収容されている。プリント回路板９は、ピックアップトラバース装置１０の制御を司るためのものであり、筐体２の底に支持されている。
【００２２】
ピックアップトラバース装置１０は、光ディスク６に記録された情報を読み取ったり、あるいは光ディスク６に情報を記録するためのものである。ピックアップトラバース装置１０は、金属製のトラバースシャーシ１１を有している。
【００２３】
図３、図４および図７に示すように、トラバースシャーシ１１は、第１ないし第４の側部１２ａ，１２ｂ，１２ｃ，１２ｄを有する四角い板状をなしており、本実施の形態の場合は、例えば厚さが１．６mmの鋼板で構成されている。トラバースシャーシ１１は、上記プリント回路板９の上方に位置するとともに、トレイ４がアンローディグ位置からローディング位置に移動された時に、このトレイ４に向けて上昇するように筐体２に昇降動可能に支持されている。
【００２４】
トラバースシャーシ１１の第１および第２の側部１２ａ，１２ｂは、ピックアップトラバース装置１０の幅方向に沿う両側部に位置している。トラバースシャーシ１１の第３および第３の側部１２ｃ，１２ｄは、ピックアップトラバース装置１０の奥行き方向に沿う両端部に位置している。
【００２５】
トラバースシャーシ１１は、光ディスク６を回転させるディスク回転機構１３、光ディスク６に対し情報を光学的に読み書きするピックアップユニット１４およびピックアップユニット１４を光ディスク６の半径方向に直線的に往復移動させる送り機構１５を一括して支持している。
【００２６】
ディスク回転機構１３は、光ディスク６を支持する円盤状のターンテーブル１６と、このターンテーブル１６を回転させる円筒状のスピンドルモータ１７とを備えている。ターンテーブル１６は、上向きに突出する嵌合凸部１８を有している。嵌合凸部１８は、トラバースシャーシ１１が上昇した時に、光ディスク６の嵌合孔７に下方から入り込む。このことにより、光ディスク６がスピンドルモータ１７のターンテーブル１６の上に載置される。
【００２７】
スピンドルモータ１７は、回転軸１９を有している。回転軸１９の一端は、ターンテーブル１６に同軸状に固定されている。回転軸１９の他端は、金属製のモータブラケット２０に回転自在に支持されている。モータブラケット２０の上面には、スピンドルモータ１７の配線回路板２１が実装されている。
【００２８】
図２に示すように、筐体２の上壁２ａにディスククランパ２２が支持されている。ディスククランパ２２は、ターンテーブル１６の嵌合凸部１８が光ディスク６の嵌合孔７に入り込んだ時に、ターンテーブル１６と協働して光ディスク６の嵌合孔７の周囲をクランプする。このクランプにより、光ディスク６がターンテーブル１６と一緒に回転するようになっている。
【００２９】
図５に概略的に示すように、ピックアップユニット１４は、対物レンズ２３を含むピックアップアクチュエータ２４と、半導体レーザダイオード２５と、光学系部品２６とを備えている。
【００３０】
ピックアップアクチュエータ２４の対物レンズ２３は、ターンテーブル１６に支持された光ディスク６の記録面に対し下方から向かい合っている。対物レンズ２３は、第１のコイル２７の駆動によりフォーカシング方向への移動が可能であるとともに、第２のコイル２８の駆動によりトラッキング方向への移動が可能となっている。
【００３１】
半導体レーザダイオード２５が発するレーザ光は、光学系部品２６および対物レンズ２３を介して光ディスク６の記録面上に照射される。光ディスク６からの反射光は、対物レンズ２３および光学系部品２６を介してピックアップユニット１４内の光検出器２９に導かれるようになっている。
【００３２】
本実施の形態のピックアップユニット１４は、偏平な筐体２の内部に無理なく収められるように薄型化が強化されている。ピックアップユニット１４にフレキシブル配線板３０が接続されている。フレキシブル配線板３０は配線部品の一例であり、ピックアップユニット１４の外に引き出されてプリント回路板９に電気的に接続されている。
【００３３】
図３および図６に示すように、送り機構１５は、第１のガイド軸３１ａ、第２のガイド軸３１ｂ、リードスクリュー３２およびスレッドモータ３３を備えている。第１および第２のガイド軸３１ａ，３１ｂは、ピックアップユニット１４の奥行き方向に沿って延びているとともに、このピックアップユニット１４の幅方向に間隔を存して互いに平行に配置されている。
【００３４】
第１および第２のガイド軸３１ａ，３１ｂの両端部は、夫々軸受金具３４を介してトラバースシャーシ１１に固定されている。トラバースシャーシ１１の第１の側部１２ａは、第１のガイド軸３１ａの外側方に位置するとともに、この第１のガイド軸３１ａの軸方向に沿って延びている。同様にトラバースシャーシ１１の第２の側部１２ｂは、第２のガイド軸３１ｂの外側方に位置するとともに、この第２のガイド軸３１ｂの軸方向に沿って延びている。
【００３５】
ピックアップユニット１４は、第１および第２のガイド軸３１ａ，３１ｂの間に介在されている。ピックアップユニット１４は、第１のガイド軸３１ａが摺動可能に貫通する第１の支持部３５ａと、第２のガイド軸３１ｂが摺動可能に係合する第２の支持部３５ｂとを有している。このため、ピックアップユニット１４は、第１および第２のガイド軸３１ａ，３１ｂの軸方向に移動可能にトラバースシャーシ１１に支持されている。
【００３６】
ピックアップユニット１４は、光ディスク６の記録面の最も内周側に位置する第１の位置と、光ディスク６の記録面の最も外周側に位置する第２の位置との間で直線的に移動可能となっている。ピックアップユニット１４が第１の位置に移動された状態では、ピックアップユニット１４がスピンドルモータ１７と隣り合う。ピックアップユニット１４が第２の位置に移動された状態では、ピックアップユニット１４がスピンドルモータ１７から最も遠ざかる。
【００３７】
図６に示すように、トラバースシャーシ１１の第１の側部１２ａの上面にブラケット３７が固定されている。ブラケット３７は、リードスクリュー３２およびスレッドモータ３３を支持している。リードスクリュー３２は、トラバースシャーシ１１の第１の側部１２ａと第１のガイド軸３１ａとの間において、第１のガイド軸３１ａと平行に配置されている。スレッドモータ３３は、トラッキング信号に応じてリードスクリュー３２を所定の角度範囲に亘って回転させる。
【００３８】
ピックアップユニット１４の第１の支持部３５ａに合成樹脂製の係合部材３８が取り付けられている。係合部材３８は、リードスクリュー３２に噛み合うように図示しないコイルばねにより弾性的に付勢されており、常にリードスクリュー３２との噛み合い状態が維持されている。
【００３９】
そのため、リードスクリュー３２をスレッドモータ３３によって回転させると、ピックアップユニット１４が光ディスク６の半径方向に直線的に移動するようになっている。
【００４０】
図２〜図４および図７に示すように、上記トラバースシャーシ１１は、スピンドルモータ１７が貫通する第１の開口部４１と、フレキシブル配線板３０を通す第２の開口部４２とを有している。第１の開口部４１と第２の開口部４２とは、ピックアップユニット１４の移動方向に互いに離れている。第２の開口部４２は、上記プリント回路板９の真上に位置するとともに、第２の開口部４２の一端に上記スレッドモータ３３が位置している。
【００４１】
さらに、図６および図７に示すように、トラバースシャーシ１１は、第１の開口部４１と第２の開口部４２との間に連結部４３を有している。連結部４３は、トラバースシャーシ１１の第１の側部１２ａと第２の側部１２ｂとの間に跨ることで、これら側部１２ａ，１２ｂの間を連結している。本実施の形態によると、連結部４３は、第１および第２の側部１２ａ，１２ｂと一体構造物となっている。
【００４２】
図７に最もよく示されるように、連結部４３は、ピックアップユニット１４の移動領域の下方を横切っており、このピックアップユニット１４の移動方向に沿う幅寸法を有する板状をなしている。ピックアップユニット１４が第１の位置に移動された状態では、ピックアップユニット１４の大部分が連結部４３と向かい合っている。ピックアップユニット１４が第１の位置から第２の位置に移動すると、ピックアップユニット１４の多くが連結部４３を外れて第２の開口部４２の上に進出するようになっている。
【００４３】
言い換えると、トラバースシャーシ１１は、ピックアップユニット１４の移動領域に対応する位置に、ピックアップユニット１４との干渉をさけるための格別な開口部分を持たない形状となっている。
【００４４】
トラバースシャーシ１１の連結部４３のうち、ブラケット３７に対応する箇所に下向きに凹む凹部４５が形成されている。凹部４５は、ブラケット３７の肉厚を吸収するためのものであり、ブラケット３７のうちリードスクリュー３２の下方に位置する部分３７ａが凹部４５の内側に入り込んでいる。
【００４５】
さらに、トラバースシャーシ１１は、その第１および第２の側部１２ａ，１２ｂの側縁から下向きに折り曲げられたフランジ状のリブ４６ａ，４６ｂを一体に有している。リブ４６ａ，４６ｂは、第１および第２の側部１２ａ，１２ｂの全長に亘って延びている。このリブ４６ａ，４６ｂの存在により、第１および第２の側部１２ａ，１２ｂが補強されてトラバースシャーシ１１の厚み方向に曲がり難くなっている。
【００４６】
図９に示すように、スピンドルモータ１７が貫通する第１の開口部４１は、トラバースシャーシ１１の第３の側部１２ｃに形成されているとともに、その開口縁の一部が連結部４３に位置している。
【００４７】
スピンドルモータ１７は、合成樹脂製のモータマウント板４７を介してトラバースシャーシ１１に固定されている。モータマウント板４７は、トラバースシャーシ１１に対するスピンドルモータ１７の取り付け位置を規定するためのものである。モータマウント板４７は、トラバースシャーシ１１の下面とモータブラケット２０との間に介在されているとともに、第１の開口部４１と協働して円筒状のスピンドルモータ１７を取り囲んでいる。
【００４８】
図７に示すように、トラバースシャーシ１１は、第１の開口部４１の周囲に第１ないし第３のねじ孔４８ａ，４８ｂ，４８ｃを有している。第１ないし第３のねじ孔４８ａ，４８ｂ，４８ｃは、固定部の一例であり、スピンドルモータ１７の周方向に略１２０°の間隔を存して並んでいる。本実施の形態では、第１および第２のねじ孔４８ａ，４８ｂは、トラバースシャーシ１１の第３の側部１２ｃに形成されているとともに、第３のねじ孔４８ｃはトラバースシャーシ１１の連結部４３に形成されている。
【００４９】
スピンドルモータ１７のモータブラケット２０に三つのねじ挿通孔４９（図９に一つのみを図示）が形成されている。ねじ挿通孔４９は、トラバースシャーシ１１の第１ないし第３のねじ孔４８ａ，４８ｂ，４８ｃに対応している。さらに、モータマウント板４７は、三つの貫通孔５０（図９に一つのみを図示）を有している。貫通孔５０は、トラバースシャーシ１１の第１ないし第３のねじ孔４８ａ，４８ｂ，４８ｃおよびモータブラケット２０のねじ挿通孔４９に対応している。
【００５０】
モータブラケット２０のねじ挿通孔４９にトラバースシャーシ１１の下方からねじ５１が挿通されている。ねじ５１は、モータマウント板４７の貫通孔５０を貫通してトラバースシャーシ１１の第１ないし第３のねじ孔４８ａ，４８ｂ，４８ｃにねじ込まれている。このねじ込みにより、円筒状のスピンドルモータ１７が周方向に略１２０°の間隔を存した三箇所でトラバースシャーシ１１に固定されている。
【００５１】
したがって、スピンドルモータ１７は、その周方向に偏りを生じることなく全周に亘って均等にトラバースシャーシ１１に締め付け保持されており、このスピンドルモータ１７をトラバースシャーシ１１によってしっかりと支えることができる。
【００５２】
このような構成の光ディスク装置１によると、トラバースシャーシ１１に支持されたスピンドルモータ１７は、ターンテーブル１６の上に載置された光ディスク６を回転させる際に振動を伴う。
【００５３】
加えて、光ディスク６は、製造誤差等により嵌合孔７の中心がスピンドルモータ１７の回転中心から微妙にずれていたり、あるいは光ディスク６の上に貼り付けられたラベル等の存在により、光ディスク６の重量バランスが崩れることが多々見受けられる。この種の光ディスク６は、重心位置がスピンドルモータ１７の回転中心から偏心するのを避けられず、この重心が偏った光ディスク６を高倍速で回転させると、光ディスク６の振動が大きくなる。
【００５４】
したがって、トラバースシャーシ１１は、光ディスク６が回転している時に、スピンドルモータ１７を通じて振動を受けることになる。
【００５５】
上記第１の実施の形態に開示されたトラバースシャーシ１１は、ピックアップユニット１４の移動領域に対応する箇所に連結部４３を有し、この連結部４３がピックアップユニット１４の移動領域を横切ってトラバースシャーシ１１の第１の側部１２ａと第２の側部１２ｂとの間に跨っている。
【００５６】
そのため、トラバースシャーシ１１の第１の側部１２ａと第２の側部１２ｂとの間を連結部４３を介して一体的に結合することができ、従来との比較において第１および第２の側部１２ａ，１２ｂの剛性が著しく向上する。この結果、トラバースシャーシ１１そのものが機械的に強固となって振動し難くなり、スピンドルモータ１７や回転する光ディスク６から伝わる振動を確実に抑え込むことができる。
【００５７】
したがって、スピンドルモータ１７や回転する光ディスク６の振動が、第１の側部１２ａに固定されたリードスクリュー３２やこのリードスクリュー３２に噛み合うピックアップユニット１４の係合部材３８および第１のガイド軸３１ａに伝わるのを抑制できる。よって、ピックアップユニット１４の耐振性能が向上し、光ディスク６に対する情報の読み書きを安定して行うことができる。
【００５８】
それとともに、トラバースシャーシ１１の第１および第２の側部１２ａ，１２ｂの剛性の向上に伴い、トラバースシャーシ１１が振動し難くなるので、この振動に起因する騒音の発生を抑制することができる。よって、光ディスク装置１の静粛な運転が可能となる。
【００５９】
さらに、上記構成によると、スピンドルモータ１７が貫通する第１の開口部４１は、トラバースシャーシ１１の第３の側部１２ｃから連結部４３に至る領域に形成され、この第１の開口部４１の周縁部に位置する三つのねじ孔４８ａ，４８ｂ，４８ｃのうちの一つである第３のねじ孔４８ｃが連結部４３に対応する箇所に位置している。
【００６０】
このため、第１ないし第３のねじ孔４８ａ，４８ｂ，４８ｃをスピンドルモータ１７の周方向に略１２０°の間隔を存した三箇所に分散して配置することができ、これら第１ないし第３のねじ孔４８ａ，４８ｂ，４８ｃにねじ５１をねじ込むことで、スピンドルモータ１７を全周に亘って均等にトラバースシャーシ１１に締め付け固定することができる。
【００６１】
したがって、トラバースシャーシ１１に対するスピンドルモータ１７の取り付け剛性が向上し、トラバースシャーシ１１でスピンドルモータ１７を強固に支えることができる。この結果、光ディスク６の回転時にトラバースシャーシ１１に伝わる振動をより一層低減することができ、ピックアップユニット１４に対する振動の伝達を遮断する上で好都合となるといった利点がある。
【００６２】
加えて、トラバースシャーシ１１の第２の開口部４２は、ピックアップユニット１４が第２の位置に移動された時に、このピックアップユニット１４の下方に対応する領域に位置している。このため、ピックアップユニット１４とプリント回路板９との間にトラバースシャーシ１１が介在されるにも拘らず、ピックアップユニット１４から引き出されたフレキシブル配線板３０を、第２の開口部４２を通してプリント回路板９に導くことができる。
【００６３】
したがって、フレキシブル配線板３０を配線する際の作業性を損なうことなく、トラバースシャーシ１１の剛性を十分に確保することができ、ピックアップユニット１４の不要な振動を抑制することができる。
【００６４】
それとともに、トラバースシャーシ１１の上に搭載されたピックアップユニット１４は、薄型化が強化されているので、偏平で厚み方向にスペース的に余裕がない筐体２に対応し得るようにピックアップトラバース装置１０を薄くコンパクトに形成することができる。このため、近年の光ディスク装置１を薄くしたいといった要求を十分に満たすことができる。
【００６５】
本発明は上記第１の実施の形態に特定されるものではなく、発明の主旨を変更しない範囲内で種々変形して実施可能である。
【００６６】
例えば、図１０は本発明の第２の実施の形態を開示している。
【００６７】
この第２の実施の形態は、厚型のピックアップユニット６１をトラバースシャーシ１１の上に搭載する場合の構成を示している。
【００６８】
図１０に示すように、第１および第２のガイド軸３１ａ，３１ｂに支持されたピックアップユニット６１は、その底６１ａがトラバースシャーシ１１の第１および第２の側部１２ａ，１２ｂの上面よりも下方に張り出している。このため、トラバースシャーシ１１の連結部４３のうち、ピックアップユニット６１の移動領域を横切る部分には、ピックアップユニット６１との干渉を避ける凹部６２が形成されている。凹部６２は、連結部４３を下向きに凹ませることで構成され、トラバースシャーシ１１の下方に張り出している。
【００６９】
このような構成によれば、トラバースシャーシ１１の上に厚型のピックアップユニット６１を搭載する場合においても、トラバースシャーシ１１の剛性不足を解消することができ、ピックアップユニット６１の不要な振動を抑制することができる。
【００７０】
なお、上記第１の実施の形態では、連結部をトラバースシャーシの第１および第２の側部と一体構造物としたが、本発明はこれに限定されない。例えば連結部をトラバースシャーシとは別の金属材料で構成し、この連結部をねじ止め、溶接あるいは接着等の手段で第１および第２の側部に固定してもよい。
【図面の簡単な説明】
【００７１】
【図１】本発明の第１の実施の形態に係る光ディスク装置の斜視図。
【図２】本発明の第１の実施の形態に係る光ディスク装置の断面図。
【図３】本発明の第１の実施の形態に係るピックアップトラバース装置をトラバースシャーシの上方から見た斜視図。
【図４】本発明の第１の実施の形態に係るピックアップトラバース装置をトラバースシャーシの下方から見た斜視図。
【図５】本発明の第１の実施の形態において、ピックアップユニットの構成を概略的に示すブロック図。
【図６】本発明の第１の実施の形態において、トラバースシャーシとピックアップユニットとの位置関係を示す断面図。
【図７】本発明の第１の実施の形態のトラバースシャーシの平面図。
【図８】図７のF8線の方向から見たトラバースシャーシの側面図。
【図９】本発明の第１の実施の形態において、トラバースシャーシに対するスピンドルモータの固定構造を示す断面図。
【図１０】本発明の第１の実施の形態において、トラバースシャーシに対するスピンドルモータの固定構造を示す底面図。
【図１１】本発明の第２の実施の形態において、トラバースシャーシとピックアップユニットとの位置関係を示す断面図。
【符号の説明】
【００７２】
２…筐体、６…記録媒体（光ディスク）、１０…ピックアップトラバース装置、１１…トラバースシャーシ、１２ａ…第１の側部、１２ｂ…第２の側部、１４…ピックアップユニット、１５…送り機構、１６…ターンテーブル、１７…モータ（スピンドルモータ）、４１…第１の開口部、４２…第２の開口部、４３…連結部。
【図１】
2008186529.tif 000003
【図２】
2008186529.tif 000004
【図３】
2008186529.tif 000005
【図４】
2008186529.tif 000006
【図５】
2008186529.tif 000007
【図６】
2008186529.tif 000008
【図７】
2008186529.tif 000009
【図８】
2008186529.tif 000010
【図９】
2008186529.tif 000011
【図１０】
2008186529.tif 000012
【図１１】
2008186529.tif 000013